(57)【要約】【課題】店舗等で販売する商品について、当該店舗において、低コストな構成で利用者にとって健康上適切な商品を提案することが可能な商品購入支援システムを提供することを目的とする。【解決手段】商品購入支援システムは、レシートから画像情報を読み取るレシート読取手段と、読取手段で読み取った画像情報から商品情報を抽出する商品情報抽出手段と、顧客毎に、商品情報抽出手段で抽出した商品情報を記録する第１のデータベース手段と、販売する商品の栄養成分情報を格納する第２のデータベース登録手段と、第１および第２のデータベース登録手段を参照して、顧客が過去に購入した商品の栄養成分やカロリーの摂取量を計算し、計算結果に基づいて、当該顧客にとって健康上適切な商品の候補を選択する商品候補選択手段と、商品候補選択手段で選択された商品の候補を印刷または表示する出力手段と、を備えている。【選択図】        図１
2008077230.tif 000002
【特許請求の範囲】
【請求項１】
レシートから画像情報を読み取るレシート読取手段と、
前記読取手段で読み取った画像情報から商品情報を抽出する商品情報抽出手段と、
顧客毎に、前記商品情報抽出手段で抽出した商品情報を記録する第１のデータベース手段と、
販売する商品毎に、栄養成分やカロリーを含む栄養成分情報を格納する第２のデータベース登録手段と、
前記第１および第２のデータベース登録手段を参照して、顧客が過去に購入した商品の栄養成分やカロリーの摂取量を計算し、この計算結果に基づいて、当該顧客にとって健康上適切な商品の候補を選択する商品候補選択手段と、
前記商品候補選択手段で選択された商品の候補を印刷または表示する出力手段と、
を備えたことを特徴とする商品購入支援システム。
【請求項２】
前記販売する商品の在庫を管理する在庫管理サーバを備え、
前記前記商品候補選択手段は、前記選択した商品の在庫を前記在庫管理サーバに問い合わせ、当該選択した商品のうち、在庫のある商品を最終的な候補とすることを特徴とする請求項１に記載の商品購入支援システム。
【請求項３】
前記出力手段は、前記商品候補選択手段で選択された商品を印刷または表示する際に、その選択された商品の一部または全部のクーポン券を印刷することを特徴とする請求項１または請求項２に記載の商品購入支援システム。
【発明の詳細な説明】
【技術分野】
【０００１】
本発明は、商品購入支援システムに関し、詳細には、顧客に健康上適した商品の候補を選択することが可能な商品購入支援システムに関する。
【背景技術】
【０００２】
近年、コンビニエンスストア等を中心に弁当や惣菜で食事をすることが増えている。この場合、一般的に個人の嗜好にしたがった食事になり、栄養のバランスが偏りがちである。販売する弁当や惣菜には、カロリー表示などがされているケースもあるが、自分で集計して栄養バランスを取ることはかなり手間が掛かってしまう。
【０００３】
また、いろんな栄養補助食品が販売されているが、顧客はどれを選んでよいか迷ってしまい、顧客にとって必要な商品を迅速に選択したいという要求がある。また、一般的に、コンビニエンスストアの弁当は高カロリーで栄養が偏っているという先入観があるが、店舗側としては安心して商品を購入してもらえるようなシステムの実現が望まれている。
【０００４】
例えば、特許文献１では、ユーザの積極的な興味の有無に関わらず、ユーザの健康を維持、改善する上で必要な広告をその診断結果とともに提示する広告提示方法が提案されている。具体的には、当該広告提示方法は、塩分・脂肪分・カロリー等の過剰摂取、カルシウム・ビタミン等の摂取不足、不規則な食事時間等のユーザの診断結果の内容に応じて提示すべき商品、店舗、企業等の広告の情報を診断結果の内容別に広告ＤＢに蓄積しておき、ユーザから食生活の診断結果の提示が要求された場合、ユーザの診断結果の内容に応じて提示すべき広告の情報を広告ＤＢから抽出して、この広告の情報を食生活の診断結果の該当する内容の近傍に表示したり、商品、企業のホームページにリンクを張る等、関連付けてユーザ端末装置へ出力するものである。
【０００５】
しかしながら、特許文献１の技術では、コンビニエンスストア等の店舗で販売する商品について、当該店舗で顧客の健康上適切な商品を提案することはできない。
【０００６】
【特許文献１】特開２００２−０３２６５４号公報
【発明の開示】
【発明が解決しようとする課題】
【０００７】
本発明は、上記課題に鑑みてなされたものであり、店舗等で販売する商品について、当該店舗において、低コストな構成で利用者にとって健康上適切な商品を提案することが可能な商品購入支援システムを提供することを目的とする。
【課題を解決するための手段】
【０００８】
上述した課題を解決し、目的を達成するために、本発明は、レシートから画像情報を読み取るレシート読取手段と、前記読取手段で読み取った画像情報から商品情報を抽出する商品情報抽出手段と、顧客毎に、前記商品情報抽出手段で抽出した商品情報を記録する第１のデータベース手段と、販売する商品の栄養成分情報を格納する第２のデータベース登録手段と、前記第１および第２のデータベース登録手段を参照して、顧客が過去に購入した商品の栄養成分やカロリーの摂取量を計算し、計算結果に基づいて、当該顧客にとって健康上適切な商品の候補を選択する商品候補選択手段と、前記商品候補選択手段で選択された商品の候補を印刷または表示する出力手段と、を備えたことを特徴とする。
【０００９】
また、本発明の好ましい態様によれば、前記販売する商品の在庫を管理する在庫管理サ
ーバを備え、前記前記商品候補選択手段は、前記選択した商品の在庫を前記在庫管理サーバに問い合わせ、当該選択した商品のうち、在庫のある商品を最終的な候補とすることが望ましい。
【００１０】
また、本発明の好ましい態様によれば、前記出力手段は、前記商品候補選択手段で選択された商品を印刷または表示する際に、その選択された商品の一部または全部のクーポン券を印刷することが望ましい。
【発明の効果】
【００１１】
本発明によれば、レシートから画像情報を読み取るレシート読取手段と、前記読取手段で読み取った画像情報から商品情報を抽出する商品情報抽出手段と、顧客毎に、前記商品情報抽出手段で抽出した商品情報を記録する第１のデータベース手段と、販売する商品の栄養成分情報を格納する第２のデータベース登録手段と、前記第１および第２のデータベース登録手段を参照して、顧客が過去に購入した商品の栄養成分やカロリーの摂取量を計算し、計算結果に基づいて、当該顧客にとって健康上適切な商品の候補を選択する商品候補選択手段と、前記商品候補選択手段で選択された商品の候補を印刷または表示する出力手段と、を備えているので、店舗等で販売する商品について、当該店舗において、低コストな構成で利用者にとって健康上適切な商品を提案することが可能な商品購入支援システムを提供することが可能となるという効果を奏する。
【発明を実施するための最良の形態】
【００１２】
以下に、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。
【００１３】
（実施の形態１）
図１〜図７を参照して、本発明の実施の形態１に係る商品購入支援システムを詳細に説明する。図１は、本発明の実施の形態１に係る商品購入支援システムの概略機能構成を示す図である。同図において、１００は、本発明に係る商品購入支援装置を適用した複写機を示している。この複写機１００は、コンビニエンスストア、スーパーマーケット、個人商店、百貨店など、食料品を販売し、レシートを発行する店舗に設置される。複写機１００は、レシートを読み込んで商品情報を抽出し、顧客毎に購入した商品情報を蓄積し、過去の購入履歴を分析して、顧客に適した商品の提案を行う商品選択支援処理を実行する。また、複写機１００は、通常のコピーサービスにも使用される。
【００１４】
複写機１００は、同図に示すように、通信制御部１０１と、スキャナ部１０２と、文字認識部１０３と、プリンタ部１０４と、操作表示部１０５と、制御部１１０とを備えている。複写機１００には、顧客ＤＢ１２０、利用記録ＤＢ１３０、商品ＤＢ１４０が接続されている。また、複写機１００は、通信制御部１０１を介してネットワーク２００と接続されている。
【００１５】
制御部１１０は、各構成部と接続されていて、複写機全体の制御を行うものである。この制御部１１０は、不図示のＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成されており、ＣＰＵがＲＯＭに格納されたプログラムに基づいてＲＡＭのワーク領域を利用しながら動作することにより、各種処理が実行される。また、制御部１１０は、後述する商品選択支援処理を実行する商品候補選択部１１１を備えている。
【００１６】
なお、複写機１００で実行されるプログラムは、インストール可能な形式又は実行可能
な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよい。この場合、制御部１１０のＣＰＵが上記記憶媒体からプログラムを読み出して主記憶装置（図示せず）上にロードすることで、複写機１００に各種の機能を実現させる。また、プログラムを、インターネット等のネットワークに接続されたコンピュータ上に格納し、ネットワーク経由でダウンロードさせることにより提供するようにしても良い。または、プログラムをインターネット等のネットワーク経由で提供若しくは配布するようにしても良い。
【００１７】
通信制御部１０１は、ＬＡＮ（ローカル・エリア・ネットワーク）やインターネットなどのネットワーク２００と接続され、通信プロトコルに従ってネットワークに接続された他の機器との間でデータ通信を行うものである。
【００１８】
スキャナ部１０２は、制御部１１０に制御され、原稿の画像を読み込んでデジタルの画像情報に変換する。
【００１９】
文字認識部１０３は、制御部１１０に制御され、スキャナ部１０２で読み取った画像情報に対して、ＯＣＲ（Ｏｐｔｉｃａｌ  Ｃｈａｒａｃｔｅｒ  Ｒｅａｄｅｒ）処理により文字認識を行う。具体的には、文字認識部１０３は、スキャナ部１０２で読み取られたレシートの画像情報を文字情報に変換し、当該文字情報から商品情報（購入日、商品名）を抽出する。なお、ＯＣＲ処理は、ソフトウエアで実現しても、ハードウエアで実現してもよい。また、読み取った画像情報から文字情報を抽出するものであればＯＣＲ処理のアルゴリズムはどのようなものであってもよい。
【００２０】
プリンタ部１０４は、制御部１１０に制御され、画像情報に基づいて光ビームを偏向走査させ、感光体上に形成した静電潜像にトナーを使って現像し、生成されたトナー画像を転写紙に転写して、定着処理を行う電子写真技術を用いたプリンタである。なお、プリンタ部１０４の印刷方式は、電子写真方式のほか、インクジェット方式、昇華型熱転写方式、銀塩写真方式、直接感熱記録方式、溶融型熱転写方式など、様々な方式を用いることができる。
【００２１】
操作表示部１０５は、キー操作部と、必要な情報を表示したり、利用者が動作指示を入力するためのタッチパネル式の表示部を備えている。操作表示部１０５は、制御部１１０に制御され、利用者に必要な情報を表示したり、利用者のキー操作を受け付ける。
【００２２】
図２は、顧客ＤＢ１２０の構成例を示す図である。顧客ＤＢ１２０は、同図に示すように、お客様番号と、顧客の氏名、年齢、性別、体重等の個人情報とを関連づけて格納する。商品候補選択部１１１は、顧客ＤＢ１２０のデータの登録、更新、削除等を行い、顧客ＤＢ１２０を管理している。
【００２３】
図３は、利用記録ＤＢ１３０の構成例を示す図である。利用記録ＤＢ１３０は、同図に示すように、お客様番号と、購入した商品の商品情報（購入日付、購入した商品名）とを関連づけて格納する。商品候補選択部１１１は、利用記録ＤＢ１３０のデータの登録、更新、削除等を行い、利用記録ＤＢ１３０を管理している。
【００２４】
図４は、商品ＤＢ１４０の構成例を示す図である。商品ＤＢ１４０は、同図に示すように、商品名と、当該商品の原材料と、当該商品の栄養成分やカロリーを含む栄養成分情報（カロリー、タンパク質、脂質分、炭水化物、塩分、カルシウム・ビタミン等）とを関連づけて格納する。商品候補選択部１１１は、商品ＤＢ１４０のデータの登録、更新、削除等を行い、商品ＤＢ１４０を管理している。
【００２５】
図５および図６を参照して、上記商品候補選択部１１１が実行する商品選択支援処理を説明する。図５は、商品候補選択部１１１が実行する商品選択支援処理を説明するためのフローチャートである。図６は、商品候補選択部１１１が商品選択支援処理を実行する際に、操作表示部１０５に表示する画面の遷移の一例を示す図である。
【００２６】
図６において、画面Ｐ１は、スタート画面を示しており、商品選択支援を利用する場合に選択する「利用」ボタンが表示されている。利用者が、画面Ｐ１で、「利用」ボタンを選択すると、画面Ｐ２が表示される。画面Ｐ２には、顧客登録をしている場合に選択する「はい」ボタンと、顧客登録していない場合に選択する「いいえ」ボタンが表示されている。
【００２７】
ここで、新規のお客の場合は、画面Ｐ２で「はい」ボタンを選択すると（図５のステップＳ１の「Ｙｅｓ」）、利用者登録を行うための画面Ｐ３が表示される。画面Ｐ３には、氏名、性別、年齢、体重等の個人情報が入力するための入力欄と、「ＯＫ」ボタンが表示されている。利用者が、氏名、性別、年齢、体重等の個人情報を入力して、「ＯＫ」ボタンを選択すると、商品候補選択部１１１は、新たなお客様番号を発行し、画面Ｐ４が表示される。この画面Ｐ４では、新たに発行された「お客様番号」と「ＯＫ」ボタンが表示されている。利用者が画面Ｐ４を確認して、「ＯＫ」ボタンを押すと、商品候補選択部１１１は、顧客ＤＢ１２０に、新たに発行した「お客様番号」と、顧客の氏名、年齢、性別、体重等の個人情報とを関連づけて格納する（図５のステップＳ２）。この後、画面Ｐ６が表示される。
【００２８】
他方、画面Ｐ２で、既に顧客登録している場合は、利用者が、「いいえ」ボタンを選択すると（図５のステップＳ１の「Ｎｏ」）、画面Ｐ５が表示される。この画面Ｐ５では、「お客様番号」の入力欄と、「ＯＫ」ボタンが表示される。画面Ｐ５で、利用者が、「お客様番号」を入力し、「ＯＫ」ボタンを選択すると、商品候補選択部１１１は、顧客ＤＢ１２０に入力された「お客様番号」が登録されているかを照合し、登録されている場合は、画面Ｐ６を表示する。商品候補選択部１１１は、顧客ＤＢ１２０に入力された「お客様番号」が登録されていない場合には、「番号が違います、もう一度入力して下さいというメッセージ」を画面Ｐ５に表示する（不図示）。
【００２９】
画面Ｐ６には、お勧め商品のリストを印刷するための「お勧めリスト印刷」ボタンと、購入した商品を、レシートを使用して登録するための「購入履歴登録」ボタンとが表示されている。利用者が、「お勧めリスト印刷」ボタンを選択すると（図５のステップＳ３の「Ｙｅｓ」）、商品候補選択部１１１は、画面Ｐ８を表示するとともに、利用履歴ＤＢ１３０に記録されている当該利用者が購入した商品に対応する商品ＤＢ１４０の栄養成分情報を参照して、過去に購入した商品の栄養素やカロリーなどの摂取量を計算し（塩分過剰摂取、カルシウム摂取不足、脂肪分過剰摂取、カロリー過剰摂取、ビタミン摂取不足）、計算結果および当該利用者の顧客ＤＢ１２０に登録されている個人情報（年齢、性別、体重等）に基づいて、不足している要素、過剰な要素を計算し、不足している要素を補い、また、過剰な要素を抑制するような利用者に健康上望ましい商品の候補を商品ＤＢ１４０から選択し、選択した商品をプリンタ部１０４で印刷出力する（図５のステップＳ４）。図７−２は、お勧め商品リストの一例を示している。なお、ここでは、お勧め商品リストを印刷することとしたが、操作表示部１０５に表示することにしてもよい。
【００３０】
他方、画面Ｐ６において、利用者が、「購入履歴登録」ボタンを選択すると（図５のステップＳ５の「Ｙｅｓ」）、商品候補選択部１１１は、画面Ｐ７を表示する。この画面Ｐ７では、スキャナ部１０２の原稿台にレシートのセットを促すメッセージと、「ＯＫ」ボタンとが表示されている。図７−１は、レシートの一例を示す図である。利用者が、商品
を購入した際に受け取ったレシートを複写機１００の原稿台にセットして、「ＯＫ」ボタンを押下すると、商品候補選択部１１１は、スキャナ部１０２にレシートの画像情報を読み取らせた後、文字認識部１０３に当該画像情報を文字情報へ変換させ、当該文字情報から商品情報（購入日、商品名）を抽出させ、利用記録ＤＢ１３０に、お客様番号に対応させて、商品情報（購入日、商品名）を登録する（図５のステップＳ６）。
【００３１】
以上説明したように、実施の形態１によれば、複写機１００において、レシートの画像情報を読み取り、当該画像情報から商品情報を抽出し、読み取った画像情報から商品情報を抽出し、顧客毎に、購入した商品情報を利用記録ＤＢ１３０に記録し、利用記録ＤＢ１３０に記録されている利用者の過去に購入した商品情報に基づいて、商品ＤＢ１４０を参照して、購入した商品の栄養素やカロリーなどの摂取量を計算し、当該計算結果および当該利用者の顧客ＤＢ１２０に登録されている個人情報（年齢、性別、体重等）に基づいて、利用者にとって健康上望ましい商品の候補を商品ＤＢ１４０から選択し、選択した商品リストをプリンタ部１０４で印刷出力することとしたので、コンビニエンスストアなどの店舗に設置されている複写機で、商品を購入した際に受け取るレシートを読み込んで、商品の購入履歴を管理し、利用者にとって健康上適した商品を提案でき、店舗等で販売する商品について、当該店舗において、既存の設備を利用して低コストな構成で利用者にとって健康上適切な商品を提案することが可能な商品購入支援システムを提供することを目的とする。
【００３２】
（実施の形態２）
図８を参照して、本発明の実施の形態２に係る商品購入支援システムを詳細に説明する。実施の形態２に係る商品購入支援システムは、実施の形態１の商品購入支援システムにおいて、商品候補の選択時に、在庫がある商品のみを選択するように構成したものである。
【００３３】
図８は、本発明の実施の形態２に係る商品購入支援システムの概略の機能構成を示す図である。図８において、図１と同等機能を有する部位には同一符号を付してその説明を省略し、異なる点についてのみ説明する。
【００３４】
実施の形態２に係る商品購入システムは、図８に示すように、複写機１００が設置される店舗に陳列される商品の在庫を管理するための在庫管理サーバ３００と、商品の在庫が登録されている在庫管理ＤＢ３１０とを備えている。この在庫管理サーバ３００は、通信制御部３０１と、制御部３０２とを備えている。また、在庫管理サーバ３００は、通信制御部３０１を介してネットワーク２００と接続されている。
【００３５】
制御部３０２は、在庫管理サーバ３００の制御を行うものである。この制御部３０２は、不図示のＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成されており、ＣＰＵがＲＯＭに格納されたプログラムに基づいてＲＡＭのワーク領域を利用しながら動作することにより、各種処理が実行される。
【００３６】
なお、在庫管理サーバ３００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよい。この場合、制御部３０２のＣＰＵが上記記憶媒体からプログラムを読み出して主記憶装置（図示せず）上にロードすることで、在庫管理サーバ３００に各種の機能を実現させる。また、プログラムを、インターネット等のネットワークに接続されたコンピュータ上に格納し、ネットワーク経由でダウンロードさせることにより提供するようにしても良い。または、プログラムをインターネット等の
ネットワーク経由で提供若しくは配布するようにしても良い。
【００３７】
通信制御部３０１は、ＬＡＮ（ローカル・エリア・ネットワーク）やインターネットなどのネットワーク２００と接続され、通信プロトコルに従ってネットワークに接続された他の機器との間でデータ通信を行うものである。
【００３８】
在庫管理ＤＢ３１０は、複写機１００が設置される店舗に陳列される商品名と、当該商品の在庫数とを関連づけて格納する。制御部３０２は、在庫管理ＤＢ３１０のデータの登録、更新、削除等を行い、在庫管理ＤＢ３１０を管理している。
【００３９】
実施の形態２においては、複写機１００の商品候補選択部１１１は、図５のステップＳ４において、利用者の健康上望ましい商品の候補を商品ＤＢ１４０から選択した後、選択した商品の候補の在庫があるか否かを在庫管理サーバ３００に問い合わせる。在庫管理サーバ３００の制御部３０２は、複写機１００から在庫の問い合わせがあると、在庫管理ＤＢ３１０を参照して、問い合わせのあった商品の在庫があるか否かを確認し、その確認結果を在庫情報として、複写機１００に送信する。複写機１００の商品候補選択部１１１は、在庫情報を受け取ると、選択した商品の候補のうち、在庫がある商品をお勧め商品リストとして印刷する。
【００４０】
以上説明したように、実施の形態２によれば、複写機１００では、商品候補の選択時に、当該商品候補の在庫があるか否かを商品在庫管理サーバ３００に問い合わせ、在庫がある商品を選択して、利用者に提示することとしたので、複写機１００と在庫管理サーバ３００とをリンクさせることで、効率の良い商品提案が可能となる。
【００４１】
（実施の形態３）
図９を参照して、本発明の実施の形態３に係る商品購入支援システムを詳細に説明する。実施の形態３に係る商品購入支援システムは、実施の形態１の商品購入支援システムにおいて、複写機１００の商品候補選択部１１１は、図５のステップＳ４でお勧め商品リストを印刷する際に、そのお勧め商品の一部または全部のクーポン券を印刷する。図９は、クーポン券の一例を示す図である。
【００４２】
以上説明したように、実施の形態３によれば、単に商品を提案するだけでなく、クーポン券を提供することとしたので、商品購入の高い動機付けが可能になる。また、店舗側としては各顧客に適した高い宣伝効果が期待できる。販売促進のために、クーポン券を配布することは良く行われているが、商品のニーズに合わせて配布できるようになるため効率よい配布が期待できる。
【００４３】
本発明は、上記実施の形態１〜３に限定されるものではなく、発明の要旨を変形しない範囲で適宜変更して実施可能であり、例えば、実施の形態２と実施の形態３を組み合わせて実施することにしてもよい。
【産業上の利用可能性】
【００４４】
本発明に係る商品購入支援システムは、コンビニエンスストア、スーパーマーケット、個人商店、百貨店など、食料品を販売し、レシートを発行する店舗に設置される場合に有用である。
【図面の簡単な説明】
【００４５】
【図１】本発明の実施の形態１に係る商品購入支援システムの概略機能構成を示す図である。
【図２】顧客ＤＢの構成例を示す図である。
【図３】利用記録ＤＢの構成例を示す図である。
【図４】商品ＤＢの構成例を示す図である。
【図５】商品候補選択部が実行する商品選択支援処理を説明するためのフローチャートである。
【図６】商品候補選択部が商品選択支援処理を実行する際に、操作表示部に表示する画面遷移図の一例を示す図である。
【図７−１】レシートの一例を示す図である。
【図７−２】お勧め商品リストの一例を示す図である。
【図８】本発明の実施の形態２に係る商品購入支援システムの概略の機能構成を示す図である。
【図９】商品クーポンの一例を示す図である。
【符号の説明】
【００４６】
１００  複写機
１０１  通信制御部
１０２  スキャナ部
１０３  文字認識部
１０４  プリンタ部
１０５  操作表示部
１１０  制御部
１１１  商品候補選択部
１２０  顧客ＤＢ
１３０  利用記録ＤＢ
１４０  商品ＤＢ
２００  ネットワーク
３００  在庫管理サーバ
３０１  通信制御部
３０２  制御部
３１０  在庫管理ＤＢ
【図１】
2008077230.tif 000003
【図２】
2008077230.tif 000004
【図３】
2008077230.tif 000005
【図４】
2008077230.tif 000006
【図５】
2008077230.tif 000007
【図６】
2008077230.tif 000008
【図７−１】
2008077230.tif 000009
【図７−２】
2008077230.tif 000010
【図８】
2008077230.tif 000011
【図９】
2008077230.tif 000012